(57)【要約】【課題】安定した性能の吊押入を容易に施工できるようにする。【解決手段】左，右壁パネル１２と背面壁パネル１３とで支持され、吊押入の底板となる中段棚１７の下方に、当該中段棚１７と平行に且つ中段棚１７との間に隙間２０が形成された状態に下部天板パネル２１を設け、中段棚１７の下方で且つ左，右壁パネル１２の前辺より奥まった位置に、障子枠２２を前記下部天板パネル２１に取り付けた状態に設け、障子枠２２より奥の下部空間２に地板パネル２３を設けて、障子枠２２より奥の下部空間２での造作や仕上げの作業を不要にした押入ユニットＢを床スラブ８に設置し、中段棚１７を支持するための根太組を施工せずに吊押入Ａを構成する。【選択図】        図２
2004270376.tif 000002
【特許請求の範囲】
【請求項１】
左，右壁パネルと背面壁パネルとで支持され、吊押入の底板となる中段棚の下方に、当該中段棚と平行に且つ中段棚との間に隙間が形成された状態に下部天板パネルを設け、中段棚の下方で且つ左，右壁パネルの前辺より奥まった位置に設置される障子枠を前記下部天板パネルに取り付けるように構成し、障子枠より奥の下部空間に地板パネルを設けたことを特徴とする押入ユニット。
【請求項２】
左，右壁パネルと、背面壁パネルと、天板パネルとで形成された箱状本体の内部に、上段棚と吊押入の底板となる中段棚とを左，右壁パネルと背面壁パネルとで支持された状態に設け、箱状本体の前面開口部に、吊押入の襖をスライド自在に支持するための鴨居と敷居を設ける一方、前記中段棚の下方に、当該中段棚と平行に且つ中段棚との間に隙間が形成された状態に下部天板パネルを設け、中段棚の下方で且つ左，右壁パネルの前辺より奥まった位置に、障子枠を前記下部天板パネルに取り付けた状態に設け、障子枠より奥の下部空間に地板パネルを設けたことを特徴とする押入ユニット。
【請求項３】
請求項１又は２に記載の押入ユニットであって、前記障子枠より奥で且つ前記下部天板パネルの下面に、照明器具を設置して、間接照明としたことを特徴とする押入ユニット。
【請求項４】
請求項１〜３の何れかに記載の押入ユニットを床スラブに設置し、前記鴨居及び敷居に襖を嵌め込み、前記障子枠に障子を嵌め込んで構成したことを特徴とする吊押入。
【発明の詳細な説明】
【０００１】
【発明の属する技術分野】
本発明は、押入ユニットとそれを用いた吊押入に関するものである。
【０００２】
【従来の技術】
【特許文献１】
特開２００２−２３５４３６号公報
【０００３】
最近、コンクリート集合住宅においても、和室空間の意匠性を高めるという目的で吊押入を採用するケースが増えている。吊押入は、本来、和室の床（畳）レベルから設置される押入が和室の床から任意の高さだけ浮いた状態で設置されるものであり、吊押入の下部スペースは、和室空間の一部となるため、外観は押入が浮いているように見える。また、コンクリート集合住宅においては、吊押入の下部スペースの奥に障子枠を設置し、障子の内側に照明器具を配して間接照明とすることが多い。
【０００４】
吊押入を構成するにあたっては、熟練技能者である大工が木材から加工して下地組を行い、これらに壁板、鴨居、敷居等を取り付け、化粧仕上げを施すといった在来工法の他、例えば上記特許文献１に記載されているような工場生産による押入ユニットを吊押入に適した大きさに作製する一方、建物の躯体側に根太等を軸組し、その上に前記押入ユニットを載せて、吊押入を構成する工法が知られている。
【０００５】
後者の工法は、在来工法に比べると施工が簡略化されるとはいえ、実際には、施工に相当な手間がかかり、安定した性能を確保することが困難であるという問題点があった。
【０００６】
即ち、吊押入は、押入であるが故に、容積が大きく、台所等の壁に設置される吊戸棚をはるかに上回る積載荷重が作用するので、吊戸棚のように壁（室内の壁）や天井だけで支持すると、壁や天井が破壊する可能性がある。そのため、従来では、押入ユニットを壁や天井で支持すると共に、図１３の（Ａ）に示すように、押入ユニットａの底部を在来工法により施工した根太組ｂで支持していたのであるが、積載荷重によって根太組ｂが撓むと、その下方に位置する障子枠ｃに干渉して、障子ｄの開け閉めが円滑に行えなくなるため、根太組ｂの材料メンバーとして大きなものを使用し、且つ、根太ピッチを狭くする等して、強固な根太組ｂを施工しなければならなかった。
【０００７】
殊に、吊押入の下部に形成されるスペースの高さは、通常の押入における中段棚の半分程度の高さであるのに、上記の従来例では、根太組ｂの下にもぐり込んで、障子枠ｃの設置や、障子枠ｃの内側の仕上げ作業等を行う必要があり、これらは非常に施工しにくい作業となる。そのため、根太組ｂの施工に加え、吊押入下の造作や仕上げに非常に手間がかかるのである。しかも、荷重に対して不安定な形態である上、狭小なスペース内での難しい作業を強いられるため、職方の技量により性能にバラツキが生じ易く、安定した性能を確保することが困難であった。
【０００８】
【発明が解決しようとする課題】
本発明は、上記の問題点を考慮に入れてなされたものであって、安定した性能の吊押入を容易に施工できるようにすることを課題としている。
【０００９】
【課題を解決するための手段】
上記の課題を解決するために、本発明では、左，右壁パネルと背面壁パネルとで支持され、吊押入の底板となる中段棚の下方に、当該中段棚と平行に且つ中段棚との間に隙間が形成された状態に下部天板パネルを設け、中段棚の下方で且つ左，右壁パネルの前辺より奥まった位置に設置される障子枠を前記下部天板パネルに取り付けるように構成し、障子枠より奥の下部空間に地板パネルを設けて、押入ユニットを構成している（請求項１）。
【００１０】
具体的には、請求項２に記載の発明のように、左，右壁パネルと、背面壁パネルと、天板パネルとで形成された箱状本体の内部に、上段棚と吊押入の底板となる中段棚とを左，右壁パネルと背面壁パネルとで支持された状態に設け、箱状本体の前面開口部に、吊押入の襖をスライド自在に支持するための鴨居と敷居を設ける一方、前記中段棚の下方に、当該中段棚と平行に且つ中段棚との間に隙間が形成された状態に下部天板パネルを設け、中段棚の下方で且つ左，右壁パネルの前辺より奥まった位置に、障子枠を前記下部天板パネルに取り付けた状態に設け、障子枠より奥の下部空間に地板パネルを設けて、押入ユニットを構成している。
【００１１】
請求項３に記載の発明による押入ユニットは、請求項１又は２に記載の押入ユニットにおいて、前記障子枠より奥で且つ前記下部天板パネルの下面に、照明器具を設置して、間接照明としたことを特徴としている。
【００１２】
請求項４に記載の発明による吊押入は、請求項１〜３の何れかに記載の押入ユニットを床スラブに設置し、前記鴨居及び敷居に襖を嵌め込み、前記障子枠に障子を嵌め込んで構成したことを特徴としている。
【００１３】
上記の構成によれば、中段棚の下方に、奥まった位置に障子の嵌った和室空間が形成されるから、外観上は、吊押入であるが、構造上は、左，右壁パネルと背面壁パネルとで中段棚を支持した一般的な押入ユニットであり、下部までパネル化されているから、中段棚にかかる積載過重を、左，右壁パネルと背面壁パネルを経て床スラブへと伝えることができる荷重に対して安定した形態であり、根太組の施工が不要である。
【００１４】
殊に、中段棚の下方に、当該中段棚との間に隙間が形成された状態に下部天板パネルを設け、この下部天板パネルに障子枠を取り付けるので、中段棚にかかる荷重が下部天板パネルに伝わらずに済み、想定外の積載過重によって、多少、中断棚が撓んでも、障子枠に干渉することがなく、障子の開け閉めを常に円滑に行うことができる。
【００１５】
しかも、障子枠より奥の下部空間に予め地板パネルが設けられているので、障子枠より奥の造作や仕上げの作業が省略されることになり、根太組の施工が不要であることと相まって、安定した性能の吊押入を容易に施工できる利点がある。
【００１６】
【発明の実施の形態】
図１〜図４は、本発明に係る吊押入Ａの一例を示し、図５〜図１２は、上記の吊押入Ａを構成するのに用いた押入ユニットＢを示す。図１〜図４において、１は吊押入Ａの襖、２は吊押入Ａの下部空間である。下部空間２には、吊押入Ａの奥行きの中程まで奥まった位置に障子３が設けられており、障子３の内側には、障子３による間接照明とするための照明器具４が設けられている。５は和室６の畳、７は天井、８はコンクリート集合住宅の躯体を構成する床スラブである。
【００１７】
押入ユニットＢの外周の壁面や下部空間２の障子３よりも外側（前方）の壁面及び天井面は、木軸下地９ａ，９ｂの上に石膏ボード１０ａを張り、その上にクロス１０ｂを貼って仕上げられている。また、下部空間２の障子３よりも外側の下部は、畳５と同レベルに縁甲板１１を張る等して仕上げられている。
【００１８】
前記押入ユニットＢは、図５〜図１２に示すように、左，右壁パネル１２と、背面壁パネル１３と、天板パネル１４とで形成された箱状本体１５の内部に、上段棚１６と吊押入Ａの底板となる中段棚１７とを左，右壁パネル１２と背面壁パネル１３とで支持された状態に設け、箱状本体１５の前面開口部に、前記襖１をスライド自在に支持するための鴨居１８と敷居１９を設ける一方、前記中段棚１７の下方に、当該中段棚１７と平行に且つ中段棚１７との間に隙間２０が形成された状態に下部天板パネル２１を設け、中段棚１７の下方で且つ左，右壁パネル１２の前辺より奥まった位置に、障子枠２２を前記下部天板パネル２１に木軸２２ａを介して取り付けた状態に設け、障子枠２２より奥の下部空間２には、左，右壁パネル１２と背面壁パネル１３とで支持された地板パネル２３を設けて構成されている。
【００１９】
前記左，右壁パネル１２、背面壁パネル１３、天板パネル１４、下部天板パネル２１、地板パネル２３は、何れも、木軸等による補強芯とその片面に貼着した化粧板とで構成されており、施工後の仕上げが不要な化粧パネルである。２４は、鴨居１８及び敷居１９の両端を支持する方立であり、左，右壁パネル１２に固定されている。２５は、上段棚１６及び中段棚１７の前端に取り付けられた前框である。中段棚１７の前框２５は、敷居１９の裏面に当接させてあるが、敷居１９には取り付けられていない。これは、中段棚１７の荷重が敷居１９に伝わるのを防ぐためである。
【００２０】
尚、押入ユニットＢの寸法は、適宜設定されるものであり、例えば、押入ユニットＢの高さ（左，右壁パネル１２及び背面壁パネル１３の上下寸法）は、１９５０〜２５００ｍｍ程度に設定され、押入ユニットＢの横幅は、１２００〜３０００ｍｍ程度に設定され、押入ユニットＢの奥行きは、７５０〜１０００ｍｍ程度に設定される。
【００２１】
前記吊押入Ａは、押入ユニットＢを床スラブ８に設置し、箱状本体１５に木軸下地を固定した後、箱状本体１５の外周の壁面や下部空間２の障子３よりも外側（前方）の壁面及び天井面を、木軸下地９ａ，９ｂの上に張った石膏ボード１０ａやクロス１０ｂで仕上げ、下部空間２の障子３よりも外側の下部を縁甲板１１等で仕上げ、前記鴨居１８及び敷居１９に襖１を嵌め込み、前記障子枠２２に障子１３を嵌め込むといった手順により構成されたものである。尚、照明器具４は、押入ユニットＢを床スラブ８に設置した後に、下部天板パネル２１の下面に取り付けられる。
【００２２】
上記の構成によれば、図１、図２、図１３の（Ｂ）に示すように、中段棚１７の下方に、奥まった位置に障子１３の嵌った下部空間（和室空間の一部）２が形成されるから、外観上は、吊押入Ａであるが、構造上は、左，右壁パネル１２と背面壁パネル１３とで中段棚１７を支持した一般的な押入ユニットＢであり、下部までパネル化されているから、中段棚１７にかかる積載過重を、左，右壁パネル１２と背面壁パネル１３を経て床スラブ８へと伝えることができる荷重に対して安定した形態であり、図１３の（Ａ）に示したような押入ユニットａの底部を支持する根太組ｂの施工が不要である。
【００２３】
殊に、中段棚１７の下方に、当該中段棚１７との間に隙間２０が形成された状態に下部天板パネル２１を設け、この下部天板パネル２１に障子枠２２を取り付けるので、中段棚１７にかかる荷重が下部天板パネル２１に伝わらずに済み、想定外の積載過重によって、多少、中断棚１７が撓んでも、障子枠２２に干渉することがなく、障子１３の開け閉めを常に円滑に行うことができる。
【００２４】
しかも、障子枠２２より奥の下部空間２に予め地板パネル２３が設けられているので、障子枠２２より奥の造作や仕上げのための現場作業が一切不要であり、根太組ｂの施工が不要であることと相まって、安定した性能の吊押入Ａを容易に施工できる。
【００２５】
尚、吊押入Ａを設置する室内に柱や梁の一部が存在する場合、図１４の（Ｂ）に示すように、左，右壁パネル１２と背面壁パネル１３との角部を柱型に合わせて凹入２６させた形状の押入ユニットＢや、図１４の（Ａ）に示すように、背面壁パネル１３と天板パネル１４との角部を梁型に合わせて凹入２６させた形状の押入ユニットＢを使用することによって、吊押入Ａを建物のコンクリート壁と密着させた状態に設置できる。また、左上部（又は右上部）に梁の一部が存在する場合は、左又は右の壁パネル１２と天板パネル１４との角部を梁型に合わせて凹入２６させた形状の押入ユニットＢを使用することによって、吊押入Ａを建物のコンクリート壁と密着させた状態に設置できる。
【００２６】
【発明の効果】
本発明は、上述した構成よりなるため、安定した性能の吊押入を容易に施工できる等の効果がある。
【図面の簡単な説明】
【図１】本発明に係る吊押入の一例を示す斜視図である。
【図２】前記吊押入の縦断側面図である。
【図３】要部の横断平面図である。
【図４】要部の横断平面図である。
【図５】本発明に係る押入ユニットの一例を示す縦断側面図である。
【図６】押入ユニットの正面図である。
【図７】押入ユニットの背面図である。
【図８】押入ユニットの左側面図である。
【図９】押入ユニットの平面図である。
【図１０】押入ユニットの底面図である。
【図１１】押入ユニットのＡ−Ａ断面図である。
【図１２】押入ユニットのＢ−Ｂ断面図である。
【図１３】本発明に係る吊押入と従来の吊押入とを比較して説明する透視的な概略斜視図である。
【図１４】本発明に係る吊押入の他の実施形態を説明する透視的な概略斜視図である。
【符号の説明】
Ａ…吊押入、Ｂ…押入ユニット、１２…左，右壁パネル、１３…背面壁パネル、１７…中段棚、２０…隙間、２１…下部天板パネル、２２…障子枠、２３…地板パネル。
【図１】
2004270376.tif 000003
【図２】
2004270376.tif 000004
【図３】
2004270376.tif 000005
【図４】
2004270376.tif 000006
【図５】
2004270376.tif 000007
【図６】
2004270376.tif 000008
【図７】
2004270376.tif 000009
【図８】
2004270376.tif 000010
【図９】
2004270376.tif 000011
【図１０】
2004270376.tif 000012
【図１１】
2004270376.tif 000013
【図１２】
2004270376.tif 000014
【図１３】
2004270376.tif 000015
【図１４】
2004270376.tif 000016